(57)【要約】【課題】たて樋の長手方向所望位置、ことに所要の間隔で配されて壁から延出する壁側支持金具と正対する位置でたて樋の溝形レールにほぼワンタッチでセットし、同時に壁側支持金具と連結固定することができ、きわめて簡単で能率的に樋と壁側の金具とを連結固定できる構造簡易な固定金具を提供する。【解決手段】筒状本体の一側に沿って一対の溝形レールを設けたたて樋を所定長さ毎に壁側にアンカーされた支持金具と連結するための手段であって、樋の溝形レール上に置かれ溝形レールの長手方向と平行な長穴を有する座プレートと、下端に外向きＬ状の引っ掛け足を有し、上部には壁側の支持金具と対向すべき連結面部を有し、引っ掛け足が座プレートの下面側にあるように座プレートの長穴を傾動可能に挿通して座プレート上方に延在させられた一対の挟みブラケットと、前記挟みブラケットの連結面部両側に位置し、挟みブラケットの下方への抜け及びブラケット相互の間隔を規制するスペーサ部材を備えている。【選択図】図４
2010024635.tif 000002
【特許請求の範囲】
【請求項１】
筒状本体の一側に沿って一対の溝形レールを設けたたて樋を所定長さ毎に壁側にアンカーされた支持金具と連結するための手段であって、樋の溝形レール上に置かれ溝形レールの長手方向と平行な長穴を有する座プレートと、下端に外向きＬ状の引っ掛け足を有し、上部には壁側の支持金具と対向すべき連結面部を有し、引っ掛け足が座プレートの下面側にあるように座プレート２の長穴を傾動可能に挿通して座プレート上方に延在させられた一対の挟みブラケットと、前記挟みブラケットの連結面部両側に位置し、挟みブラケット３，３の下方への抜けを規制するスペーサ部材を備えていることを特徴とするたて樋用支持金具。
【請求項２】
スペーサ部材は、一方の挟みブラケットに固定される一端部と、一対のブラケットの間において座プレート上面に接する規制用部を備えている請求項１に記載のたて樋用支持金具。
【請求項３】
スペーサ部材は、一対の挟みブラケット間に渡されており、一方の挟みブラケットに固定される一端部と、一対のブラケットの間において座プレートに接する規制用部と、他方のブラケットに設けた縦長孔に挿脱可能に嵌まる他端部とを備えている請求項１に記載のたて樋用支持金具。
【発明の詳細な説明】
【技術分野】
【０００１】
本発明はたて樋用支持金具に関する。
【背景技術】
【０００２】
建屋におけるたて樋として、合成樹脂あるいはアルミニウム押出し材を利用したものがある。このたて樋は控えバンドを用いないので、シャープですっきりとした意匠を創成できることから利用が増す傾向にある。
【０００３】
たて樋は、図１のように、円形断面または角形断面をなした筒状本体１の一側に、半径方向に突出して先端が内方に水平状に屈曲した一対の溝形レール１０を一体形成しており、前記溝形レールが壁A側に向くように筒状本体１を垂直状に立て、所要の間隔たとえば１２００ｍｍごとに支持機構Ｂにより壁体に連結支持するようになっている。
【０００４】
前記支持機構Ｂは、たとえば、壁体Aに埋め込まれるグリップアンカーＢ１と、これの先端に取り付けられる壁側支持金具（たとえば羽子板）Ｂ２と、溝形レール１０の所望位置に固定され、前記壁側支持金具Ｂ２と連結される樋側支持金具とから構成される。
【０００５】
従来の樋側支持金具Ｂ３は、図１と図２のように、溝形レール１０に対応する幅を有するとともに長手方向の両端に挿脱用割溝Ｂ３−１０を入れてヨーク状部を形成したプレートＢ３−１と、溝形レール１０の内寸に対応する大きさの頭部を有する六角ボルトＢ３−２と、六角ボルトＢ３−２の雄ねじ軸Ｂ３−２０に嵌まるワッシャーＢ３−３とナットＢ３−４からなっていた。
【０００６】
この支持金具Ｂ３は、基本的には、六角ボルトＢ３−２の頭部を下にして溝形レール１０の長手方向端から内部に挿入し、溝形レール１０の中央の開口溝から突出する雄ねじ軸Ｂ３−２０にプレートＢ３−１の挿脱用割溝Ｂ３−１０を横から挿し合わせ、ワッシャーＢ３−３とナットＢ３−４をはめ込み螺合して溝形レールに組付けるようになっており、通常は、図２のように、予め六角ボルトＢ３−２の雄ねじ軸をプレートＢ３−１の挿脱用割溝Ｂ３−１０にはめ、ワッシャーとナットをはめ込み螺合して仮組立し、この状態で溝形レール１０に組み込み使用している。
【０００７】
しかし、溝形レール１０の長手方向端部、すなわちいちいちたて樋１の端末部から六角ボルト頭部を挿入しなければならないので、面倒で、作業性が悪い。しかも、所要の間隔ごとに配された壁側支持金具との連結のためには、支持金具Ｂ３を溝形レール１０に仮止めし、その状態を保ちながら溝形レール１０そってスライドすることが必要となるので、工程が複雑になる。
【０００８】
仮止め作業も、六角ボルトＢ３−２の雄ねじ軸に対するナットＢ３−４の回動具合で六角ボルトＢ３−２の頭部下面と溝形レールの水平部内面との接触圧で固定力を調整しなければならず、緩めすぎにより仮止め作用が乏しくなってプレートＢ３−１がスライドし、その際に下向きの挿脱用割溝Ｂ３−１０から六角ボルトＢ３−２の雄ねじ軸が離脱して溝形レール１０内で落下してしまったり、調整の際にナットＢ３−４が雄ねじ軸から外れてしまったりするトラブルが多くなる。
【発明の開示】
【発明が解決しようとする課題】
【０００９】
本発明は前記のような問題点を解消するためになされたもので、その目的とするところは、たて樋の長手方向所望位置、ことに高さ方向所要間隔で配されて壁から延出する壁側支持金具の位置においてたて樋の溝形レールにほぼワンタッチでセットできると同時に壁側支持金具と連結固定することができ、きわめて簡単かつ能率的に樋と壁側の金具との連結固定を行える構造簡易な固定金具を提供することにある。
【課題を解決するための手段】
【００１０】
上記目的を達成するため本発明は、筒状本体の一側に沿って一対の溝形レールを設けたたて樋を所定長さ毎に壁側にアンカーされた支持金具と連結するための手段であって、樋の溝形レール上に置かれ溝形レールの長手方向と平行な長穴を有する座プレートと、下端に外向きＬ状の引っ掛け足を有し、上部には壁側の支持金具と対向すべき連結面部を有し、引っ掛け足が座プレートの下面側にあるように座プレートの長穴を傾動可能に挿通して座プレート上方に延在させられた一対の挟みブラケットと、前記挟みブラケットの連結面部両側に位置し、挟みブラケットの下方への抜けを規制するスペーサ部材を備えていることを特徴としている。
【発明の効果】
【００１１】
本発明は、下端に外向きＬ状の引っ掛け足を有する一対の挟みブラケットを備え、それら挟みブラケットがスペーサ部材により下方への抜け止めがなされた状態で座プレートに傾動可能に挿通されているので、羽子板などの壁側支持金具が突出しているたて樋の所定箇所において、一対の挟みブラケットの連結用部同士の間隔を広げることにより、外向きＬ状の引っ掛け足が溝形レール内に挿入されるとともに、入り口溝下面に引っ掛けられる。この操作は、壁と樋との狭いスペースであっても横から簡単に行なうことができる。
【００１２】
挟みブラケットの上部を閉じれば、壁側支持金具が挟みブラケット間に挟み込まれるので、連結用部と壁側支持金具にボルトナットを通して締結すればよく、これで溝形レールと支持金具及び壁側支持金具を一挙に強固に固定することができる。
本発明は、従来のように、金具の溝形レールへの仮止めを行い、この状態を維持したまま支持羽子板との連結位置に移動して溝形レールに本固定し、それから壁側支持金具と連結するといった複雑な工程を取る必要がなくなるので、簡易、迅速なたて樋設置工事を可能とすることができる。
【発明を実施するための最良の形態】
【００１３】
スペーサ部材は、一方の挟みブラケットに固定される一端部４０と、一対のブラケットの間において座プレートに接する規制用部４１を備えている。
これによれば、簡単な構造で挟みブラケットの落下防止と間隔規制を行なうことができる。
また、スペーサ部材は、一対の挟みブラケット間に渡され、一方の挟みブラケットに固定される一端部と、一対のブラケットの間において座プレートに接する規制用部と、他方のブラケットに設けた縦長孔に挿脱可能に嵌まる他端部とを備えている。
これによれば、他方のブラケットに設けた縦長孔に挿脱可能に嵌まる他端部を有するため、挟みブラケットの左右方向のずれも防止することができ、かつ、座プレートの他端部の下面に対応して凸部を設けることにより、他端部が凸部で支持されるので、挟みブラケットの前後方向（板厚方向）からの力に対して強度を保持することができる。
【実施例１】
【００１４】
以下添付図面を参照して本発明の実施例を説明する。
図３〜図５は本発明を適用したたて樋施工の完成状態を示しており、Ｂは壁側支持金具であり、Ｂ１は壁体Ａに埋め込まれるグリップアンカー、Ｂ２はグリップアンカーの先端に取り付けられ壁Ａから突出した支持羽子板である。
Ｃはたて樋本体１に一体形成されている溝形レール１０の所定位置において前記支持羽子板Ｂ２とボルトナット６で連結された本発明にかかる樋用支持金具である。
【００１５】
溝形レール１０は、たて樋本体１の外周から半径方向に延出するウエブ１００とこれの先端から内方水平方向に屈曲したフランジ１０１を有する一対の突片からなっており、フランジ１０１、１０１間に入口溝１０２が形成され、ウエブ１００、１００間が入口溝１０２より幅の広い係止用の内寸となっている。
【００１６】
本発明にかかる樋用支持金具Ｃは、図６と図７に単体の状態を示しており、溝形レール１０の幅と同程度以上の幅を有し、溝形レールのフランジ１０１、１０１上に当接される長方形状の座プレート２と、下端に前記ウエブ１００に係合するための外向きＬ状の引っ掛け足３０を有し、上部には壁側の支持金具この例では羽子板Ｂ２と対向しこれを挟んで連結するための連結面部３１を有する一対の挟みブラケット３，３と、前記挟みブラケット３，３間に渡された２つのスペーサ部材４，４を備えている。
【００１７】
前記座プレート２は、溝形レール１０の長手方向と平行な長方形状の２本の長穴２０，２０を有しており、長穴２０、２０の間は帯板部２３が設けられている。前記挟みブラケット３，３は長穴２０，２０の下方からこれらを挿通して上方へと延在させられている。
長穴２０は、挟みブラケット３が挿通された状態での傾斜できるように板厚よりも十分に幅が大きく構成されている。
前記外向きＬ状の引っ掛け足３０は、長穴２０の長さよりも大きく、引っ掛け足３０の両端部３００，３００が座プレート２の下面に当接して、上方への抜け止めが図られるようになっている。
連結面部３１は座プレート２の上方に十分な長さ突出し、中央部に、羽子板Ｂ２の長穴からなる通孔ｂと合致する通孔３１０を有し、これらにボルト６０が挿通され、ナット６１で締結されるようになっている。連結面部３１は、場合によっては長穴２０の端に位置する部分が内向きに屈曲し、帯板部２３の上面に当接する爪となっていてもよい。これは、強度向上のほか、挟みブラケット３の落下防止の一助になる。
【００１８】
スペーサ部材４，４は、一対の挟みブラケット３，３における連結面部３１の両側部位間に位置され、挟みブラケット３，３の下方への抜け止めと、ブラケット相互の間隔を規制する役目を果たす手段であり、この実施例では特殊な軸状部材を用いている。
すなわち、一方の挟みブラケット３に固定される一端部４０と、一対のブラケットの間において座プレート２の上面に接する径大な規制用部４１と、他方のブラケット３に設けた縦長孔に挿脱可能に嵌まる他端部４２とを連続形成している。
【００１９】
一端部４０はこの例では雄ねじ軸として構成され、挟みブラケット３，３の下端部付近に設けた雌ねじ孔に螺通されている。２つのスペーサ部材４，４の一端部４０は、図６のように、左右対称に配置されている。
そして、挟みブラケット３，３を、下端の引っ掛け足３０、３０の間隔を狭めるべく、上部を間隔広げ側に傾転できるようにするため、一端部４０に対応する箇所の長穴部位には、座プレート縁部に達する切欠き２１が形成され、ここに一端部４０が斜めに挿通できるようになっている。
【００２０】
他端部４２はねじのない軸(ピン)として構成され、挟みブラケット３，３が直立したときに、相手ブラケット３を貫通する長さを有している。そして、前記のように挟みブラケット３，３の間隔を広げるべく傾転したときに挟みブラケット３から自動的に抜け出し、挟みブラケット３，３が直立したときには自動的にブラケットを貫通することができるように、ブラケット３に縦長孔３２が設けられている。
そして、縦長孔３２の先の座プレート上には、図６や図７に示すように縦長孔３２から突出した他端部４２の下面を受支する凸部２２が打出し加工などにより設けられており、この凸部２２で他端部４２を支えることにより強度バランスが取れ、挟みブラケット３，３の片側から力が作用したときに倒れなどが生じないようにしている。
【００２１】
次に本発明の使用法と作用を説明すると、図８と図９は樋用支持金具Ｃをたて樋にセットするとともに壁側支持金具と連結固定する工程を示しており、たて樋を壁Ａと平行状となるように配置し、溝形レール１０が壁Ａに対峙するように位置決め保持する。このとき、壁側に所定間隔で埋め込んであるアンカーＢ１にはあらかじめ支持羽子板Ｂ２を連結して壁面から前方に突出させておく。
【００２２】
本発明は支持羽子板Ｂ２のある位置において、樋用支持金具Ｃを溝形レール１０にセットするのであり、図８（ａ）のように支持羽子板Ｂ２がちょうど挟みブラケット３，３の連結面部３１，３１の間に位置するところで樋用支持金具Ｃを挿入し、座プレート2を溝形レール１０に接近させつつ、挟みブラケット３，３を把持して外側に広げるように傾転させる。
これにより座プレート2の下方にある左右の引っ掛け足３０、３０の付け根側が接近してすぼまるので、溝形レール１０の入口溝１０２にスムーズに挿入することができる。  このとき、スペーサ部材４，４は他端部４２が一方のブラケット３の縦長孔３２から抜け出すが、一端部４０、４０が他方のブラケット３に固定されており、規制用部４１が座プレート２の上面に当接可能なので、挟みブラケット３，３は座プレート２に保持され、落下しない。
【００２３】
こうして挟みブラケット３，３の引っ掛け足３０、３０が溝形レール１０の入口溝１０２から進入したところで図８（ｂ）のように挟みブラケット３，３を直立方向に閉じれば、左右の引っ掛け足３０、３０が広がりつつフランジ１０１、１０１の先端を支点として起立してフランジ１０１、１０１の下面に引っかかる。
このときに、スペーサ部材４，４の他端部４２、４２は相手方のブラケット３の縦長孔３２に斜めに進入してゆき、規制用部41が座プレート2の上面に当接して挟みブラケット３，３の落下を防止する。そして挟みブラケット３，３が直立状になることにより連結面部３１，３１間に支持羽子板B2が挟み込まれる。
【００２４】
これが図９の状態であり、スペーサ部材４，４の規制用部４１が中間部分にあることにより挟みブラケット３，３の内向き倒れすぎを防止し、直立姿勢を促す。そこで、連結面部３１，３１の通孔３１０，３１０と羽子板Ｂ２の通孔ｂにボルト６０を挿通し、ワッシャー６２を介してナット６１を螺合して締め付けることにより樋用支持金具Ｃと壁側支持金具Ｂの連結固定が完了する。
本発明の樋用支持金具Ｃは溝形レール１０の入口溝１０２よりも狭くなり得る左右の引っ掛け足３０、３０を有しているので、たて樋本体１のエンドに限らずどのような位置においても自在に溝形レール１０にセットすることができ、しかも溝形レール１０との連結固定と壁側支持金具Ｂとの連結固定を一挙に行うことができるので、施工作業を非常に簡素化し能率をアップすることができる。
【００２５】
なお、本発明において、スペーサ部材４は、図１０のように他端部４２を有しない形態であってもよい。
また、スペーサ部材４は必ずしも軸形態である必要はなく、図１１のように板形態であってもよい。この場合、スペーサ部材４は全体として側面Ｌ状をなし、立ち上がり状の一端部４０はブラケット３の内面にねじ止めあるいは溶接などで固定され、規制部４１と他端部４２は水平に延在し、規制部４１は端部が他方のブラケット３の内面に当接することで間隔の規制を行えるように他端部４２よりも幅が広く構成され、他端部４２は他方のブラケット３に設けた縦長孔３２に挿脱自在となっている。
また、スペーサ部材４は、場合によっては、挟みブラケット３，３に両端を連結したコイルばねなどの弾性部材などであってもよい。
【００２６】
本発明は、たて樋が断面円形でなく角形である場合にも適用される。また、壁側のアンカーとの連結構造は支持羽子板B2による場合の限定されるものではない。たとえばＴ状金具など壁側に連結され中間部位にボルト挿通穴ｂを有する金具であればよい。
本発明の樋用支持金具Ｃは座プレート２と、１種類の挟みブラケット３とスペーサ部材４を作るだけでよいので、部品数が少なくコストも低減することができる。
【図面の簡単な説明】
【００２７】
【図１】（ａ）は従来のたて樋施工状態の斜視図、（ｂ）は従来の樋用支持金具の使用状態の斜視図、（ｃ）は施工状態の横断面図である。
【図２】従来の樋用支持金具のセット時の状態を示す斜視図である。
【図３】本発明による樋用支持金具の施工状態を示す部分切欠側面図である。
【図４】本発明による樋用支持金具の施工状態を示す正面図である。
【図５】本発明による樋用支持金具の施工状態を示す平面図である。
【図６】（ａ）は本発明の樋用支持金具の平面図、(ｂ)は同じく底面図である。
【図７】（ａ）は本発明の樋用支持金具の側面図、（ｂ）は部分切欠側面図である。
【図８】（ａ）は本発明樋用支持金具をたて樋の溝形レールにセットするときの第１段階の正面図、（ｂ）はそのときの平面図、（ｃ）は第２段階の正面図である。
【図９】溝形レールおよび壁側支持金具との連結固定段階を示す正面図である。
【図１０】本発明におけるスペーサ部材の他の例を示す正面図である。
【図１１】（ａ）は本発明におけるスペーサ部材の他の例を示す正面図、(ｂ)は側面図、（ｃ）はスペーサ部材単体の斜視図である。
【符号の説明】
【００２８】
１  たて樋本体
２  座プレート
３  挟みブラケット
４  スペーサ部材
１０  溝形レール
３０  引っ掛け足
３１  連結用面部
４０  一端部
４１  規制部
４２  他端部
【図１】
2010024635.tif 000003
【図２】
2010024635.tif 000004
【図３】
2010024635.tif 000005
【図４】
2010024635.tif 000006
【図５】
2010024635.tif 000007
【図６】
2010024635.tif 000008
【図７】
2010024635.tif 000009
【図８】
2010024635.tif 000010
【図９】
2010024635.tif 000011
【図１０】
2010024635.tif 000012
【図１１】
2010024635.tif 000013